(57)【特許請求の範囲】
【請求項１】
調査装置と、調査対象受信装置と、録画部とを備えた調査システムにおいて、
前記調査装置は、
放送を受信する受信部と、
現在時刻を測定する時計部と、
前記受信部による受信信号から第１の特徴量を求める第１の特徴量抽出器と、
前記調査対象受信装置による視聴信号から第２の特徴量を求める第２の特徴量抽出器と、
放送時刻、放送局ID、特徴量を対応して記憶する特徴量データベース（DB）と、
視聴開始時刻、放送開始時刻、放送局IDを含む接触データを記憶する接触データテーブルと、
録画開始時刻及び録画終了時刻、放送局を識別するための放送局情報を含む録画リストを記憶する録画リストテーブルと、
特徴量の比較判定及び接触データの作成を行うためのコントローラと
を備え、
前記コントローラは、
前記受信部を制御することにより、一定時間間隔で放送局IDを切り替え設定して放送を受信し、
前記第１の特徴量抽出器により、前記受信部による受信信号を演算した第１の特徴量を入力し、前記時計部による前記一定時間間隔の放送時刻、前記受信部に設定した放送局ID、前記第１の特徴量を対応して前記特徴量DBに記録し、
前記録画リストテーブルから録画リストに従い、録画開始時刻から録画終了時刻までの時間帯のレコードを前記特徴量DBから抽出し、抽出されたレコード以外のレコードを、予め定められた一定時間経過したら、前記特徴量DBから削除し、
前記第１の特徴量抽出器からの第１の特徴量と、前記調査対象受信装置による視聴信号を演算した前記第２の特徴量抽出器からの第２の特徴量とを比較し、
一致する特徴量が検出できなかった場合、前記特徴量DBに記憶された各レコードの特徴量と、前記第２の特徴量抽出器からの第２の特徴量とを比較し、一致した特徴量を検出したら、該特徴量に対応するレコードに含まれる放送局IDと放送開始時刻をそれぞれ接触データの放送局IDと放送開始時刻として設定し、前記時計部による現在時刻を接触データの視聴開始時刻として設定した該接触データを前記接触データテーブルに記録する
調査システム。
【請求項２】
請求項1に記載の調査システムにおいて、
前記第１の特徴量抽出器からの第１の特徴量と、前記調査対象受信装置による視聴信号を演算した前記第２の特徴量抽出器からの第２の特徴量とを比較したとき、
一致する特徴量が検出された場合、
前回求めた接触データの放送局IDと、前記受信部が受信中の放送局IDとを比較し、両者が異なれば、前記受信部が受信中の放送局IDを接触データの放送局IDとして設定し、前記時計部による現在時刻を接触データの視聴開始時刻及び放送開始時刻に設定した該接触データを接触データテーブルに記録することを特徴とする調査システム。
【請求項３】
請求項1又は２に記載の調査システムにおいて、
前記第１の特徴量抽出器からの第１の特徴量と、前記第２の特徴量抽出器からの第２の特徴量とを比較した結果、一致する特徴量が予め定められた間に検出できなかった場合、
前記コントローラは、前記第２の特徴量抽出器の出力により、前記調査対象受信装置の受信信号レベルを検査し、ゼロ又は予め定められた大きさ以下である場合、放送局ID及び放送開始時刻に、前記調査対象受信装置がオフであることを表す所定値を設定することを特徴とする調査システム。
【請求項４】
請求項1乃至３のいずれかに記載の調査システムにおいて、
前記調査装置は、視聴者を識別するための視聴者コードを設定する視聴者設定部をさらに備え、
前記接触データは、各レコードに視聴者コードをさらに含み、
前記コントローラは、前記接触データを作成又は記録するときに、前記視聴者設定部により設定された視聴者コードを接触データに含めることを特徴とする調査システム。
【請求項５】
請求項４に記載の調査システムにおいて、
前記第１の特徴量抽出器からの第１の特徴量と、前記調査対象受信装置による視聴信号を演算した前記第２の特徴量抽出器からの第２の特徴量とを比較したとき、
一致する特徴量が検出された場合、
前回求めた接触データの放送局ID及び視聴者コードと、前記受信部が受信中の放送局ID及び前記視聴者設定部による視聴者コードとをそれぞれ比較し、放送局ID又は視聴者コードのいずれかが異なれば、前記受信部が受信中の放送局IDを接触データの放送局IDとして設定し、前記時計部による現在時刻を接触データの視聴開始時刻及び放送開始時刻に設定し、今回の視聴者コードを設定した該接触データを接触データテーブルに記録することを特徴とする調査システム。
【請求項６】
請求項1乃至５のいずれかに記載の調査システムにおいて、
前記コントローラは、前記調査対象受信装置又は前記録画部から、予め定めた時間又はタイミング又は間隔で、前記録画部が録画を実行した録画開始時刻及び録画終了時刻、放送局を識別するための放送局情報を含む録画リストを取得し、取得した前記録画リストを前記録画リストテーブルに記憶することを特徴とする調査システム。
【請求項７】
請求項1乃至６のいずれかに記載の調査システムにおいて、
前記コントローラは、前記特徴量DBに記憶された各レコードの特徴量と、前記第２の特徴量抽出器からの第２の特徴量とを比較する際、
前記特徴量DBに現在から過去の予め定められた一定時間分蓄積された各レコードの特徴量と、前記第２の特徴量抽出器からの録画再生中の第２の特徴量とを比較し、一致すれば、レコードに含まれる放送局IDと放送開始時刻を接触データに設定し、
一致しなかった場合には、前記特徴量DBに前記一定時間より前に蓄積された特徴量と、第２の特徴量抽出器からの録画再生中の特徴量とを比較し、一致すれば、レコードに含まれる放送局IDと放送開始時刻を接触データに設定し、
さらに、前記コントローラは、現在時刻を視聴開始時刻として接触データに設定し、設定した前記接触データを接触データテーブルに記録する
ことを特徴とする調査システム。
【請求項８】
請求項1乃至７のいずれかに記載の調査システムにおいて、
前記コントローラは、さらに、前記接触データテーブルを参照し、連続する時刻のレコード間で、放送局ID又は視聴者コードに変化がなければ、一方のレコードを削除してデータ量を圧縮することを特徴とする調査システム。
【請求項９】
請求項1乃至８のいずれかに記載の調査システムにおいて、
前記調査装置に有線又は無線ネットワークを介して接続された集計・配信センターを、さらに備え、
前記コントローラは、前記接触データテーブルを参照し、予め定められた時間又はタイミングで、接触データを前記集計・配信センターへ送ることを特徴とする調査システム。
【請求項１０】
請求項1乃至９のいずれかに記載の調査システムにおいて、
前記コントローラは、録画リストを前記録画部から受信し、
前記コントローラは、取得した今回の録画リストと、前記録画リストテーブルに既に記憶されている前回の録画リストとを比較し、比較した結果、今回の録画リストの中に前回の録画リストから削除されたレコードがある場合、前記特徴量DBを参照し、該削除されたレコードに含まれる録画開始時刻から録画終了時刻の時間帯で、該削除されたレコードに含まれる放送局IDに該当するレコードを削除し、
前記コントローラは、今回の録画リストを、前記録画リストテーブルへ記録する
ことを特徴とする調査システム。
【請求項１１】
調査装置と、調査対象受信装置と、録画部とを備えた調査システムにおいて、
前記調査装置は、
放送を受信する受信部と、
現在時刻を測定する時計部と、
前記受信部による受信信号から第１の特徴量を求める第１の特徴量抽出器と、
前記調査対象受信装置による視聴信号から第２の特徴量を求める第２の特徴量抽出器と、
放送時刻、放送局ID、特徴量を対応して記憶する特徴量データベース（DB）と、
視聴開始時刻、放送開始時刻、放送局IDを含む接触データを記憶する接触データテーブルと、
録画開始時刻及び録画終了時刻、放送局を識別するための放送局情報を含む録画リストを記憶する録画リストテーブルと、
特徴量の比較判定及び接触データの作成を行うためのコントローラと
を備えた、前記調査システムにおける調査方法であって、
前記コントローラは、
前記受信部を制御することにより、一定時間間隔で放送局IDを切り替え設定して放送を受信し、
前記第１の特徴量抽出器により、前記受信部による受信信号を演算した第１の特徴量を入力し、前記時計部による前記一定時間間隔の放送時刻、前記受信部に設定した放送局ID、前記第１の特徴量を対応して前記特徴量DBに記録し、
前記録画リストテーブルから録画リストに従い、録画開始時刻から録画終了時刻までの時間帯のレコードを前記特徴量DBから抽出し、抽出されたレコード以外のレコードを、予め定められた一定時間経過したら、前記特徴量DBから削除し、
前記第１の特徴量抽出器からの第１の特徴量と、前記調査対象受信装置による視聴信号を演算した前記第２の特徴量抽出器からの第２の特徴量とを比較し、
一致する特徴量が検出できなかった場合、前記特徴量DBに記憶された各レコードの特徴量と、前記第２の特徴量抽出器からの第２の特徴量とを比較し、一致した特徴量を検出したら、該特徴量に対応するレコードに含まれる放送局IDと放送開始時刻をそれぞれ接触データの放送局IDと放送開始時刻として設定し、前記時計部による現在時刻を接触データの視聴開始時刻として設定した該接触データを前記接触データテーブルに記録する
調査方法。
【請求項１２】
調査装置と、調査対象受信装置と、録画部とを備えた調査システムにおける調査装置であって、
放送を受信する受信部と、
現在時刻を測定する時計部と、
前記受信部による受信信号から第１の特徴量を求める第１の特徴量抽出器と、
前記調査対象受信装置による視聴信号から第２の特徴量を求める第２の特徴量抽出器と、
放送時刻、放送局ID、特徴量を対応して記憶する特徴量データベース（DB）と、
視聴開始時刻、放送開始時刻、放送局IDを含む接触データを記憶する接触データテーブルと、
録画開始時刻及び録画終了時刻、放送局を識別するための放送局情報を含む録画リストを記憶する録画リストテーブルと、
特徴量の比較判定及び接触データの作成を行うためのコントローラと
を備え、
前記コントローラは、
前記受信部を制御することにより、一定時間間隔で放送局IDを切り替え設定して放送を受信し、
前記第１の特徴量抽出器により、前記受信部による受信信号を演算した第１の特徴量を入力し、前記時計部による前記一定時間間隔の放送時刻、前記受信部に設定した放送局ID、前記第１の特徴量を対応して前記特徴量DBに記録し、
前記録画リストテーブルから録画リストに従い、録画開始時刻から録画終了時刻までの時間帯のレコードを前記特徴量DBから抽出し、抽出されたレコード以外のレコードを、予め定められた一定時間経過したら、前記特徴量DBから削除し、
前記第１の特徴量抽出器からの第１の特徴量と、前記調査対象受信装置による視聴信号を演算した前記第２の特徴量抽出器からの第２の特徴量とを比較し、
一致する特徴量が検出できなかった場合、前記特徴量DBに記憶された各レコードの特徴量と、前記第２の特徴量抽出器からの第２の特徴量とを比較し、一致した特徴量を検出したら、該特徴量に対応するレコードに含まれる放送局IDと放送開始時刻をそれぞれ接触データの放送局IDと放送開始時刻として設定し、前記時計部による現在時刻を接触データの視聴開始時刻として設定した該接触データを前記接触データテーブルに記録する
調査装置。
【発明の詳細な説明】
【技術分野】
【０００１】
本発明は、調査システム及び方法、調査装置に係り、特に、調査対象者又は調査対象世帯によるテレビ・ラジオ・コンテンツ等の録画再生行動又は接触状況等を測定するための調査システム及び方法、調査装置に関する。
【背景技術】
【０００２】
従来より、テレビやラジオのコンテンツ接触状況を測定する手法が各種提案されている。そのひとつは、調査対象者のラジオやテレビで視聴されている音から抽出した音声特徴量と、各放送局を常時受信する複数の受信チューナを備えた受信施設で放送局ごとに抽出した音声特徴量の全局・全時間データベースと、を照合し、調査対象者がどの放送局と接触したかを特定するものである。このような技術を記載した文献として、例えば、特開平１１−２７５０３２号公報がある。
また、特開平７−３２７０１７号公報には、調査対象者のラジオやテレビで視聴されている音から抽出した特徴量と、別途用意した受信チューナを一定間隔で巡回させながら抽出した音声特徴量と、両者が一致するまで受信チューナを切り替えて、調査対象者が接触した放送局を特定する手法が記載されている。
また、特徴量の生成や一致判定等に関しては、例えば、特開２００３−２４４７３０号公報がある。
【先行技術文献】
【特許文献】
【０００３】
【特許文献１】特開平１１−２７５０３２号公報
【特許文献２】特開平７−３２７０１７号公報
【特許文献３】特開２００３−２４４７３０号公報
【発明の概要】
【発明が解決しようとする課題】
【０００４】
近年、ハードディスクなどによる録画装置が普及したことで、調査対象者によるリアルタイムの接触状況だけでなく、あるコンテンツがどのくらい録画されて、さらにそれがどのくらい再生されたか、いわゆるタイムレフトの接触状況も知りたいとするニーズが高まっている。
録画・再生行為の接触状況の測定では、前述した音声特徴量の全局・全時間データベースを破棄せず、過去のものを保持し続けなければならないが、音声特徴量のデータベースは、おおよそ「保持する日数  ｘ  測定対象局数」の記録容量が必要となる。さらに全局・全時間データベースが肥大化すると、音声特徴量の照合に時間を要し、報告書が完成までに多くの時間を要するという課題があった。
【０００５】
本発明は、以上の点に鑑み、録画装置の録画リストを利用して、全局・全時間データベースを、あらかじめ再生候補データベースとして絞り込んでおくことで、データベースの容量を削減すること又は必要最小限のものにすることを目的のひとつとする。また、本発明は、比較対照が限定されることで照合を含む処理速度が向上し、また録画していないコンテンツを再生したかのように誤判定することをなくすことを他の目的とする。さらに、本発明は、最終的には録画再生に関するレポートを顧客により早く、より安価に提供することを他の目的とする。
【課題を解決するための手段】
【０００６】
本発明のひとつの態様によると、例えば、録画リスト取得処理により録画装置から録画リストを取得し、再生候補選別手段により取得した録画リストを使い、全局・全時間データベースから、再生候補だけによるデータベースを再構成する。そして、もしリアルタイム判定手段でテレビからの音声特徴量が、調査装置のチューナからの音声特徴量と一致しない場合には、再生候補だけによるデータベースの音声特徴量との照合を行う。
【０００７】
本発明の第１の解決手段によると、
調査装置と、調査対象受信装置と、録画部とを備えた調査システムにおいて、
前記調査装置は、
放送を受信する受信部と、
現在時刻を測定する時計部と、
前記受信部による受信信号から第１の特徴量を求める第１の特徴量抽出器と、
前記調査対象受信装置による視聴信号から第２の特徴量を求める第２の特徴量抽出器と、
放送時刻、放送局ID、特徴量を対応して記憶する特徴量データベース（DB）と、
視聴開始時刻、放送開始時刻、放送局IDを含む接触データを記憶する接触データテーブルと、
録画開始時刻及び録画終了時刻、放送局を識別するための放送局情報を含む録画リストを記憶する録画リストテーブルと、
特徴量の比較判定及び接触データの作成を行うためのコントローラと
を備え、
前記コントローラは、
前記受信部を制御することにより、一定時間間隔で放送局IDを切り替え設定して放送を受信し、
前記第１の特徴量抽出器により、前記受信部による受信信号を演算した第１の特徴量を入力し、前記時計部による前記一定時間間隔の放送時刻、前記受信部に設定した放送局ID、前記第１の特徴量を対応して前記特徴量DBに記録し、
前記録画リストテーブルから録画リストに従い、録画開始時刻から録画終了時刻までの時間帯のレコードを前記特徴量DBから抽出し、抽出されたレコード以外のレコードを、予め定められた一定時間経過したら、前記特徴量DBから削除し、
前記第１の特徴量抽出器からの第１の特徴量と、前記調査対象受信装置による視聴信号を演算した前記第２の特徴量抽出器からの第２の特徴量とを比較し、
一致する特徴量が検出できなかった場合、前記特徴量DBに記憶された各レコードの特徴量と、前記第２の特徴量抽出器からの第２の特徴量とを比較し、一致した特徴量を検出したら、該特徴量に対応するレコードに含まれる放送局IDと放送開始時刻をそれぞれ接触データの放送局IDと放送開始時刻として設定し、前記時計部による現在時刻を接触データの視聴開始時刻として設定した該接触データを前記接触データテーブルに記録する
調査システムが提供される。
【０００８】
本発明の第２の解決手段によると、
調査装置と、調査対象受信装置と、録画部とを備えた調査システムにおいて、
前記調査装置は、
放送を受信する受信部と、
現在時刻を測定する時計部と、
前記受信部による受信信号から第１の特徴量を求める第１の特徴量抽出器と、
前記調査対象受信装置による視聴信号から第２の特徴量を求める第２の特徴量抽出器と、
放送時刻、放送局ID、特徴量を対応して記憶する特徴量データベース（DB）と、
視聴開始時刻、放送開始時刻、放送局IDを含む接触データを記憶する接触データテーブルと、
録画開始時刻及び録画終了時刻、放送局を識別するための放送局情報を含む録画リストを記憶する録画リストテーブルと、
特徴量の比較判定及び接触データの作成を行うためのコントローラと
を備えた、前記調査システムにおける調査方法であって、
前記コントローラは、
前記受信部を制御することにより、一定時間間隔で放送局IDを切り替え設定して放送を受信し、
前記第１の特徴量抽出器により、前記受信部による受信信号を演算した第１の特徴量を入力し、前記時計部による前記一定時間間隔の放送時刻、前記受信部に設定した放送局ID、前記第１の特徴量を対応して前記特徴量DBに記録し、
前記録画リストテーブルから録画リストに従い、録画開始時刻から録画終了時刻までの時間帯のレコードを前記特徴量DBから抽出し、抽出されたレコード以外のレコードを、予め定められた一定時間経過したら、前記特徴量DBから削除し、
前記第１の特徴量抽出器からの第１の特徴量と、前記調査対象受信装置による視聴信号を演算した前記第２の特徴量抽出器からの第２の特徴量とを比較し、
一致する特徴量が検出できなかった場合、前記特徴量DBに記憶された各レコードの特徴量と、前記第２の特徴量抽出器からの第２の特徴量とを比較し、一致した特徴量を検出したら、該特徴量に対応するレコードに含まれる放送局IDと放送開始時刻をそれぞれ接触データの放送局IDと放送開始時刻として設定し、前記時計部による現在時刻を接触データの視聴開始時刻として設定した該接触データを前記接触データテーブルに記録する
調査方法が提供される。
【０００９】
本発明の第３の解決手段によると、
調査装置と、調査対象受信装置と、録画部とを備えた調査システムにおける調査装置であって、
放送を受信する受信部と、
現在時刻を測定する時計部と、
前記受信部による受信信号から第１の特徴量を求める第１の特徴量抽出器と、
前記調査対象受信装置による視聴信号から第２の特徴量を求める第２の特徴量抽出器と、
放送時刻、放送局ID、特徴量を対応して記憶する特徴量データベース（DB）と、
視聴開始時刻、放送開始時刻、放送局IDを含む接触データを記憶する接触データテーブルと、
録画開始時刻及び録画終了時刻、放送局を識別するための放送局情報を含む録画リストを記憶する録画リストテーブルと、
特徴量の比較判定及び接触データの作成を行うためのコントローラと
を備え、
前記コントローラは、
前記受信部を制御することにより、一定時間間隔で放送局IDを切り替え設定して放送を受信し、
前記第１の特徴量抽出器により、前記受信部による受信信号を演算した第１の特徴量を入力し、前記時計部による前記一定時間間隔の放送時刻、前記受信部に設定した放送局ID、前記第１の特徴量を対応して前記特徴量DBに記録し、
前記録画リストテーブルから録画リストに従い、録画開始時刻から録画終了時刻までの時間帯のレコードを前記特徴量DBから抽出し、抽出されたレコード以外のレコードを、予め定められた一定時間経過したら、前記特徴量DBから削除し、
前記第１の特徴量抽出器からの第１の特徴量と、前記調査対象受信装置による視聴信号を演算した前記第２の特徴量抽出器からの第２の特徴量とを比較し、
一致する特徴量が検出できなかった場合、前記特徴量DBに記憶された各レコードの特徴量と、前記第２の特徴量抽出器からの第２の特徴量とを比較し、一致した特徴量を検出したら、該特徴量に対応するレコードに含まれる放送局IDと放送開始時刻をそれぞれ接触データの放送局IDと放送開始時刻として設定し、前記時計部による現在時刻を接触データの視聴開始時刻として設定した該接触データを前記接触データテーブルに記録する
調査装置が提供される。
【発明の効果】
【００１０】
本発明によると、録画装置の録画リストを利用して、全局・全時間データベースを、あらかじめ再生候補データベースとして絞り込んでおくことで、データベースの容量を削減すること又は必要最小限のものにすることができる。また、本発明によると、比較対照が限定されることで照合を含む処理速度が向上し、また録画していないコンテンツを再生したかのように誤判定することがなくなる。さらに、本発明によると、最終的には録画再生に関するレポートを顧客により早く、より安価に提供することができる。
【図面の簡単な説明】
【００１１】
【図１】調査システムの構成図。
【図２】受信チューナ側の音声特徴量の説明図。
【図３】特徴量ＤＢの説明図。
【図４】比較判定およびデータ生成処理についてのフローチャート。
【図５】音声特徴量の比較判定の説明図（Ｃ局と一致する例）。
【図６】接触データテーブルの説明図。
【図７】録画リスト取得処理についての説明図。
【図８】再生候補選別処理についてのフローチャート。
【図９】ある時間帯のＢ局の音声特徴量だけを保持する場合の例を示す説明図。
【図１０】再生コンテンツの判定処理についてのフローチャート。
【図１１】再性行為を含む接触データの一例を示す説明図。
【図１２】連続的に再生した部分を圧縮した接触データの一例を示す説明図。
【図１３】メモリー１０６の構成図。
【図１４】放送局変換テーブルの説明図。
【図１５】録画リストテーブルの説明図。
【図１６】録画リスト取得処理の他の実施の形態についてのフローチャート。
【発明を実施するための形態】
【００１２】
１．システム及び装置
図１に、調査システムの構成図を示す。
本調査システムは、例えば、調査対象世帯には、アンテナ又はネットワーク等に接続された接触調査装置１０、調査対象テレビ２０、録画装置３０を備える。また、調査対象世帯の各装置は、ブロードバンド回線等の有線又は無線ネットワークを介して、集計・配信センター４０、契約社５０に接続されている。録画装置３０は、録画リスト３０１を有する。また、視聴者を識別するための視聴者コードを設定する視聴者設定装置６０を備えるようにしてもよい。
調査対象世帯に設置した接触調査装置１０は、調査対象テレビ２０とそれに接続された録画装置３０から音声を入力し、接触データを作成して、メモリー１０９に一時保存する。また、接触データは接触調査装置１０から、定時的にブロード回線やワイヤレス回線等のネットワークを通じて、集計・配信センター４０へ回収され、接触状況の報告書が契約社５０へ提供される。調査対象テレビ２０は、映像画面を表示する機能を有するモニター装置の役割を果たす機器の総称であり、また調査対象テレビ２０と録画装置３０が一体化されているものや、調査対象テレビ２０に外付けハードディスクユニットが接続されたもの等を含む。
【００１３】
図１３に、メモリー１０６の構成図を示す。
メモリー１０９は、放送局巡回テーブル２０１、放送局変換テーブル２０２、特徴量データベース（ＤＢ）２０３、録画リストテーブル２０４、接触データテーブル２０５を含む。
図１４に、放送局変換テーブルの説明図を示す。
放送局変換テーブル２０２は、放送局ＩＤと、放送局情報（チャンネル番号、放送局名称等）とを対応して予め記憶する。
図１５に、録画リストテーブルの説明図を示す。録画リストテーブル２０４は、録画開始時刻、録画終了時刻、放送局情報を含むレコードをひとつ又は複数含む録画リストを記憶する。
【００１４】
２．判定処理
２−１．リアルタイム判定処理
はじめに、リアルタイム判定処理について説明する。
受信チューナ１０１は、コントローラ１０５からの制御により、メモリー１０９に格納されている放送局の巡回テーブル２０１に従って一定間隔で放送局を切り替えながら放送を受信している。受信チューナ１０１の受信音声から特徴量抽出器α１０２にて音声特徴量（以下、単に特徴量という場合がある。）を演算し、その特徴量を、コントローラ１０５へ送るとともに、再生コンテンツの判定に備えて特徴量ＤＢ２０３にも記録しておく。
【００１５】
図２に、受信チューナ側の音声特徴量の説明図を示す。
上述の特徴量を図示したものが図２である。この例では、受信チューナ１０１をＡ局からＤ局まで５秒ごとに順次切り替えたもので、特徴量の１セグメントは５秒の長さで、１００バイトの固定長で構成されている。なお、セグメントの長さ・バイト数、局の数は、適宜定めることができる。
【００１６】
図３に、特徴量ＤＢの説明図を示す。
メモリー１０９の特徴量ＤＢ２０３は、例えば、年月日時分秒がカンマで区切られた放送時刻に対応して、放送局を特定できるように予め定めたユニークな放送局ＩＤ、音声特徴量、スキャンビットを含む。なお、「時刻」には、「日付」又は「曜日」等を含めてもよい。図３は、２０１１年９月１日００時００分００秒より、５秒ごとにＡ，Ｂ，Ｃ，Ｄ局の４局の特徴量を演算し記録している時の特徴量ＤＢの一例である。ここではＡ，Ｂ，Ｃ，Ｄ局の局ＩＤをそれぞれ１０１，２０１，４０１，５０１とする。
【００１７】
一方、調査対象テレビ（チューナ）２０からの音声は、アナログ音声端子、光デジタル音声端子、ＨＤＭＩ端子、あるいは無線受信器等を備えたＩ／Ｏ部１１０を経由して、接触調査装置１０に与えられる。光デジタル信号、ＨＤＭＩ信号、あるいは無線の変調信号等が入力される場合には、Ｉ／Ｏ部１１０でアナログ音声信号へ復調した上で、特徴量抽出器β１０３で特徴量が演算され、特徴量がコントローラ１０５へ送られる。なお特徴抽出器α１０２と特徴抽出器β１０３は同じ機能である。
【００１８】
つぎに、図４に、比較判定およびデータ生成処理についてのフローチャートを示す。
また、図５に、音声特徴量の比較判定の説明図（Ｃ局と一致する例）を示す。
以下、リアルタイム判定処理における、比較判定およびデータ生成の動作を図４で説明する。
コントローラ１０５は、一番初めに受信チューナ１０１を放送局巡回テーブル２０１の先頭の局にセットする（Ｓ１１）。受信チューナ１１０は、例えば、図２で説明したように、所定時間（例、５秒）ごとにＡ局からＤ局の４局を巡回するとすれば、ステップ１２（Ｓ１２）で所定時間（例、５秒）経過したかを検査し、経過していたら次に現在の受信局が巡回順の最後の局かを検査し（Ｓ１７）、最後の局でなければ、現在の次の局をセットし（Ｓ１８）、現在が最後の局なら放送局巡回テーブル２０１の先頭の局を再セットする（Ｓ１９）。なお、巡回時間は、適宜の時間に予め設定することができる。
ステップ１２（Ｓ１２）で所定時間（例、５秒）経過していなければ、コントローラ１０５は、ステップ３１（Ｓ３１）にて、放送時刻、放送局ＩＤ、特徴抽出機α１０２の出力（受信チューナ１０１による音声特徴量）を、メモリ１０９の特徴量ＤＢ２０３に保存する。
ステップ１３（Ｓ１３）では、コントローラ１０５は、特徴抽出機α１０２の出力（受信チューナ１０１による音声特徴量）と特徴抽出機β１０３の出力（調査対象テレビによる音声特徴量）との比較結果が、図５のように、コントローラ１０５がチューナ１０１にＣ局の受信をセットした５秒間のみ一致し、あとの１５秒間は不一致の状態が、予め定められた回数（たとえば３回）以上繰り返された場合、特徴抽出機α１０２の出力が、そのＣ局の音声特徴量だと判断し、ステップ１４（Ｓ１４）に進む。
ステップ１４（Ｓ１４）では、コントローラ１０５は、メモリー１０９に格納されている放送局変換テーブル２０２を用いて放送局ＩＤ＝４０１に変換し、テンポラリーな接触データの放送局ＩＤとする。
ステップ１５（Ｓ１５）では、コントローラ１０５は、前回確定した接触データの放送局ＩＤと、今回のテンポラリーな接触データの放送局ＩＤを比較し、変化したか否かを検査して、もし変化していたならステップ１６（Ｓ１６）で新たな接触データを作り、接触データテーブル２０５に記憶する。これは前回と同じ結果の場合には、新たに接触データを作らず、メモリー１０９の容量を節約するためである。
ステップ１６（Ｓ１６）で、コントローラ１０５は、時計部１０８の現在時刻を得て、年月日時分秒をカンマで区切った視聴開始時刻をセットし、特徴量ＤＢ２０３を参照して、放送開始時刻及び放送局ＩＤをセットし、および必要に応じて視聴者設定装置６０からの設定入力により視聴者コードをセットすることで、接触データを作成し、メモリー１０９に確定データとして記録する。なお、コントローラ１０５は、リアルタイム視聴ならば視聴開始時刻と放送開始時刻は同じものが記録される。
また、ステップ１５（Ｓ１５）で局ＩＤが変化していない場合は、このリアルタイム判定処理を終了する。
【００１９】
こうして確定した接触データの一例を図６に示す。
図６に、接触データテーブルの説明図を示す。
接触データは、視聴開始時刻、放送局ＩＤ、放送開始時刻を含む。なお、接触データは、視聴者コードをさらに含むようにしてもよい。リアルタイム視聴の場合、視聴開始時刻と放送開始時刻とは同じ時刻となるが、録画再生（タイムシフト）視聴の場合、両者は異なり、視聴開始時刻は実際の視聴時刻、放送開始時刻は放送された時刻となる。なお、放送局ＩＤ＝０００、放送時刻＝００００，００，００，００，００，００はテレビオフを意味していて、これについては後述する。
【００２０】
視聴者コードとは、テレビの前にいる世帯員に視聴開始・終了の都度、ログイン・ログオフを申告させる調査を実施するときに使用するもので、特開平０８−４６５８８号公報や、特開平０５−２３５８８０号公報で公知の押しボタン装置やリモコンを用いて、誰がそのコンテンツと接触していたかを自己申告させたものであり、これを接触データに含めても良い。
視聴者コードを記憶する場合には、Ｉ／Ｏ部１１０を介して押しボタン装置やリモコン受信機等による視聴者設定装置６０を接続すればよい。視聴者コードは、例えば、世帯員それぞれに、父＝１、母＝２、長男＝４、次男＝８のような重み値を与え、父が単独の場合は１、父と母の二人の場合は３、長男と次男の場合は１２とすることができる。
なお、本調査システムを、視聴者コードを必要とする調査に適用する場合には、ステップ１５（Ｓ１５）の判断条件を、「放送局ＩＤまたは視聴者コードのいずれかが変化したか？」とすればよい。
【００２１】
本実施の形態では視聴者を特定しない調査の例であり、その場合、視聴者コードは常に一定値（例えば、０）である。
さらに、調査に協力する世帯員の視聴者コードに対応する性・年齢・職業・年収などのプロフィール情報は、調査開始前にアンケート調査により集計・配信センター４０等のデータベースに保存されており、接触率の算出の際に参照されるようにしてもよい。
また本実施の形態では簡略的にＡ局からＤ局の４局で説明したが、この数に限らず、調査対象テレビ２０で受信可能なすべての局又は所定の局を受信チューナ１０１で巡回することができる。その設定は、例えば、調査会社の作業員が接触調査装置１０を設置するために、調査対象者宅を訪問し、実際に受信可能な局を調べた上で、この装置に初期設定を行うことができる。また本実施の形態では受信チューナ１０１を１つとして説明しているが、多数の局が受信できる世帯の場合には、複数のチューナ、特徴量抽出器、比較部を利用し、並列運転・処理を行うことで巡回時間を短くすることもできる。
特徴量の生成や一致判定は、例えば、前述した従来技術の公報等に記載されてものや、特開２００３−２４４７３０号公報のように、ＦＦＴ演算による周波数スペクトル構造を特徴量として、その類似度があらかじめ定めた閾値を越えた場合を一致とする方法等、適宜の手法を用いればよい。
【００２２】
次に、一致する局が無い場合を説明する。
ステップ１３（Ｓ１３）で、コントローラ１０５は、比較結果が、「一致：不一致」の予め定められた所定の時間比率で（例えば、「５秒：１５秒」）にならないときには、ステップ２０（Ｓ２０）に進む。
そして、コントローラ１０５は、ステップ２０（Ｓ２０）・ステップ１２（Ｓ１２）・ステップ３１（Ｓ３１）・ステップ１３（Ｓ１３）をループさせて不一致の時間が予め定めた時間（例．４５秒間）以上連続して発生するかを監視している。もしこれを超過したなら、ステップ２１（Ｓ２１）に処理が進む。
ステップ２１（Ｓ２１）では、コントローラ１０５は、テレビの音量レベルを検査する。無音確認機能を有する特徴量抽出器β１０３が入力信号の無音を検出すると、コントローラ１０５へ無音情報が通知される。コントローラ１０５は、テンポラリーな接触データの放送局ＩＤを０００に、放送開始時刻を００００，００，００，００，００，００に設定し、接触データテーブル２０５に記憶する。なおこれは、通常はテレビＯＦＦを意味している。また、テレビの音量レベルが無音でなければ、コントローラ１０５は、ステップ２３（Ｓ２３）へ進み再生コンテンツの判定処理を行う。ステップ２３は、録画したコンテンツを再生した場合に、どの放送局のどの時間帯に放送されたコンテンツかを判定する処理で、あらためて後述する。
【００２３】
２−２．録画リスト取得処理
さて、最近の録画再生機にはインターネット回線を使った、お勧め録画紹介サービスなどの提供を受けるためにＬＡＮ端子が装備されている。外出先の情報端末機器からインターネット回線経由で、自宅の録画装置の録画リストや予約リストを参照して、新たな予約や変更を行える機種もある。さらに同一家庭内であれば、テレビとは別の部屋にある録画装置に記録されたコンテンツを、有線ＬＡＮや無線ＬＡＮ経由で再生できるＤＬＮＡ規格に準拠した製品の比率が増加している。いずれにせよ視聴者の操作端末側より、録画リストが参照できなければ、再生コンテンツを選択できないため、録画リストの参照は多くの録画装置や録画機能を有するテレビに基本的な機能として搭載されている。本実施の形態ではこの録画リストを利用する。
【００２４】
図７に、録画リスト取得処理についてのフローチャートを示す。
以下に、録画リスト取得処理を説明する。録画リスト取得処理は、３分間などあらかじめ定めた間隔で逐次呼出される。
コントローラ１０５は、（たとえばＤＬＮＡ規格により録画リストを取得する場合は、コントローラ１０５はＩ／Ｏ部１１０のＬＡＮ端子を介して、）録画装置３０へ録画リストの送信要求を送る（Ｓ３２）。ＤＬＮＡ以外の規格を利用する場合はそれに応じた端子と接続ケーブルを利用すれば良いし、実際の接続方法は有線式でも、無線式でも良い。
録画装置３０は、この送信要求に応答し、録画したコンテンツ名、録画を実行した開始時刻及び終了時刻、放送局情報などを含む録画リストを、送り返してくるので、コントローラ１０５は、これを受信しメモリー１０９の録画リストテーブル２０４（図１５）へ記録する（Ｓ３３）。なお録画装置３０に複数の録画コンテンツがある場合はその全件情報が送られてくる。
【００２５】
ここでは調査対象テレビ２０と録画装置３０が別に設置された例を挙げたが、調査対象テレビ２０と録画装置３０が一体化されているものや、調査対象テレビ２０に外付けハードディスクユニットが接続されたものの場合には、コントローラ１０５は、ステップＳ３２で、調査対象テレビ２０へ録画リストの送信リクエストを送り、ステップＳ３３では調査対象テレビ２０から録画リストを受信し、メモリー１０９の録画リストテーブル２０４へ保存すればよい。
【００２６】
図８に、再生候補選別処理についてのフローチャートを示す。
次に、図８を用いて再生候補選別処理を説明する。再生候補選別処理は、コントローラ１０５が、録画リスト取得処理に続けて実行する。
再生されるのは、録画されたものの中から選ばれるという点に注目すれば、全局・全時間の特徴量ＤＢ２０３を保持しつづけるのはきわめて不経済である。そこで、コントローラ１０５は、以下のように、取得した録画リストをもとに、特徴量ＤＢ２０３から録画リストにないコンテンツの音声特徴量を削除する。
コントローラ１０５は、メモリー１０９の録画リストテーブル２０４の先頭から、コンテンツに関する録画開始時刻・録画終了時刻、放送局情報を読み出す（Ｓ３５）。なお、録画装置によって、放送局情報が、例えば、放送局の名称だったり、放送チャンネル番号だったりする場合は、コントローラ１０５は、メモリー１０９内にある放送局変換テーブル２０２を用いて放送局情報を放送局ＩＤに変換するとよい。
ステップ３６（Ｓ３６）では、コントローラ１０５は、この録画開始時刻・録画終了時刻と放送局ＩＤから、メモリー１０９の特徴量ＤＢ２０３を参照して、この録画開始時刻から終了時刻までの時間帯に放送局ＩＤに対応する音声特徴量が保存されているレコードを抽出する（Ｓ３６）。コントローラ１０５は、この時間帯における各レコードに対して、スキャンフラグを立てて特徴量ＤＢ２０４を更新しておく（Ｓ３７）。
ステップ３８（Ｓ３８）では、コントローラ１０５は、録画リストテーブル２０４を参照して、まだ他に録画リストのレコードがあるかを検査する。次の録画リストのレコードが存在する場合は、コントローラ１０５は、ステップ３５（Ｓ３５）へ戻り同じ処理を繰り返す。こうして、録画リスト内の全てのレコードに関連する音声特徴量に対してスキャンフラグを立てるまでループさせる。次の録画リストのレコードがなくなれば、コントローラ１０５は、ステップ３９（Ｓ３９）に進み、特徴量ＤＢ２０３を参照し、音声特徴量を生成してから予め定めた一定時間（例えば、２４時間、３日、１週間、１ヶ月等）以上経過し、且つスキャンフラグを立てていない全レコードを消去して、その特徴量ＤＢを更新する。
【００２７】
つぎに、消去する対象を、一定時間（例えば、２４時間）以上経過した音声特徴量を含むレコードに限定した理由を述べる。特徴量ＤＢ２０３には現在放送中の音声特徴量が次々と書き込まれていくが、録画装置内に録画リストが形成されるのはコンテンツの録画が終了した時点である。たとえば２１時００分から２２時５４分までの洋画劇場のようなコンテンツを録画している場合には２２時５４分になり録画終了処理を終えた時点で、初めて録画リストに加えられる。２１時３０分の時点での実行した録画リスト取得処理ではまだこの録画リストは得られないので、このコンテンツの音声特徴量を残しておく必要がある。放送コンテンツの中には特別番組と称して非常に長いものもあるため、本例では生成してから２４時間以上を経過しない音声特徴量を消去の対象から除いていたが、さらに短い時間を選び設定する事も可能である。
【００２８】
図９は、ある時間帯のＢ局の音声特徴量だけを保持する場合の例を示す説明図である。
この図では、一例として、取得した録画リストよりある録画時間帯において、Ｂ局の音声特徴量を含むレコードを残し、Ａ局、Ｃ局、Ｄ局のレコードを消去し、さらに、２４時間以上経過したその他のレコードを消去している。なお、２４時間経過していないレコードは消去しないで保持しておく。
【００２９】
２−３．タイムシフト判定処理
図１０に、再生コンテンツの判定処理についてのフローチャートを示す。
次に図４のステップＳ２３の再生コンテンツの判定処理を、図１０を用いて説明する。
ステップ２３１（Ｓ２３１）では、コントローラ１０５は、特徴量ＤＢ２０３を参照して、過去一定時間（例、２４時間）分の蓄積された音声特徴量と、特徴量抽出器β１０３から出力された録画再生中の調査対象テレビ２０からの音声による音声特徴量とを逐次比較する。コントローラ１０５は、両者が一致すれば、特徴量ＤＢ２０３を参照して音声特徴量に対応する放送局ＩＤと放送時刻を、テンポラリーな接触データの放送局ＩＤと放送開始時刻として設定する。なお図４のステップ１３（Ｓ１３）のように一致・不一致が所定のインターバルで繰り返すかは判定条件としなくてもよい。その理由はコンテンツの再生時には広告部分をスキップさせ時刻の並びが不連続になる場合があるからである。
また、ステップＳ２３１で一致しなかった場合には、コントローラ１０５は、ステップ２３４（Ｓ２３４）に進み、特徴量ＤＢ２０３を参照して、過去２４時間を越えて蓄積された各レコードの音声特徴量と、特徴量抽出器β１０３から出力された調査対象テレビ２０からの音声による音声特徴量とを逐次比較し、もし一致すれば、特徴量ＤＢ２０３を参照し、音声特徴量に対応する放送局ＩＤと放送時刻をテンポラリーな接触データの放送局ＩＤと放送開始時刻として設定する。ステップＳ２３４でも一致しなければ、コントローラ１０５は、ステップ２３５（Ｓ２３５）へ進み、放送局ＩＤ＝０００、放送時刻＝００００，００，００，００，００．００  を、接触データに代入する。
ステップ２３３（Ｓ２３３）ではコントローラ１０５は、時計部１０８より現在時刻を得て、年月日時分秒をカンマで区切った視聴開始時刻に設定する。コントローラ１０５は、上述のように設定した、視聴開始時刻、放送開始時刻、放送局ＩＤ、および必要に応じて視聴者設定装置から得た視聴者コード、を含む接触データを構成し、メモリー１０９の接触データテーブル２０５に記録する。
【００３０】
図１１は、再生行為を含む接触データの一例を示す説明図である。２０１２年２月１日の１９時００分０５秒から放送局２０１を視聴し、同１９時５８分４０秒に放送局１０１へ切り替わり（リアルタイム視聴）、同２１時５５分０３秒にテレビをオフしている。同２３時１０分２４秒に放送局７０１の２０１１年１２月３１日に放送された２２時１５分０８秒からのコンテンツを視聴している（タイムシフト視聴）。
【００３１】
上述の再生判定の例では音声特徴量のセグメントを所定時間（例、５秒）とし、その全件を記録するようにしたものであるが、さらに、データを省略してデータ量を圧縮するようにしてもよい。
図１２は、連続的に再生した部分を圧縮した接触データの一例を示す説明図である。
この場合、ステップ２３６（Ｓ２３６）ではコントローラ１０５は、さらに接触データテーブル２０５を参照して、連続する時刻のレコード間で（視聴時刻の並び方と、放送時刻の並び方に欠落がない等）、放送局ＩＤ及び／又は視聴者コードに変化がなければ、図１２のようにその冗長な区間のデータを省略してデータ量を圧縮することもできる。
【００３２】
２−４．集計
メモリー１０９の接触データは、コントローラ１０５により、世帯を特定する番号を付加した上で、時計部１０８を参照し、予め定められたタイミングでＩＯ部１１０を介して、集計・配信センター４０へ送られる。この間の通信路は有線・無線を問わない。
また、集計・配信センター４０では各調査家庭から届いた接触データを合算集計し、全世帯数を分母とする接触率を契約社５０に、印刷物や電子データ等をもって提供する。視聴者コードを含む接触率調査を実施する場合は、集計・配信センター４０にある各世帯の世帯員に関するプロフィール情報を参照して、たとえば３０歳代の男性というような集計区分単位での接触率が計算される。
【００３３】
３．録画リスト取得処理の他の例
図１６に、録画リスト取得処理の他の実施の形態についてのフローチャートを示す。このフローチャートでは、接触調査装置１０が、録画リストを取得した後で、ある録画リストが削除された場合の録画リスト取得処理を示す。
録画リスト取得処理は、３分間などあらかじめ定めた間隔で逐次呼出される。コントローラ１０５は、図７と同様に、録画装置３０へ録画リストの送信要求を送る（Ｓ３０１）。録画装置３０は、この送信要求に応答し、録画したコンテンツ名、録画を実行した録画開始時刻及び録画終了時刻、放送局情報を含む録画リストを送り返してくるので、コントローラ１０５は、この録画リストを録画装置３０から受信する（Ｓ３０３）。コントローラ１０５は、取得した今回の録画リストと、録画リストテーブルに記憶された前回の録画リストを比較する（Ｓ３０５）。比較した結果、今回削除された録画リストのレコードがある場合、コントローラ１０５は、特徴量ＤＢ２０３を参照し、削除された録画リストのレコードに含まれる録画開始時刻から録画終了時刻の時間帯で、録画リストのレコードに含まれる放送局情報に対応する放送局ＩＤに相当するレコードを検索して、それを削除する（Ｓ３０７）。一方、比較した結果、両者が同一であればステップＳ３０９へ移行する。
コントローラ１０５は、今回受信した録画リストを、メモリー１０９の録画リストテーブル２０４へ記録する（Ｓ３３）。
【００３４】
４．効果
本発明及び本実施の形態によると、以上のように、過去一定時間（例、２４時間）分と、録画リストを利用し必要なものだけに選別した過去一定時間（例、２４時間）を越える古い音声特徴量との照合を行い、一致があれば接触データを記録することで、全局・全時間データベースのメモリー容量の肥大化を防ぎ、かつ音声特徴量の照合時間を短縮し、ひいては報告書の完成までの時間を短縮することが可能になる。
【産業上の利用可能性】
【００３５】
以上の説明は、主に音声の特徴量について実施の形態を説明したが、これに限らず画像又はデータ等の適宜の特徴量を用いることができる。
また、以上の説明では、調査装置・システムは、主に、アンテナに接続された場合を例に挙げたが、これに限らず、インターネット等の有線ネットワーク、携帯電話等の無線ネットワーク等に接続されるものにも適用することができる。
さらに、本発明は、テレビ、パソコン、ラジオ、携帯機器等の視聴率・聴取率・メディア接触率等の様々な調査に適用することができる。本発明は、視聴データ、聴取データ、接触データ等の各種メディアやコンテンツ等を視聴したデータや、それによる視聴率、聴取率、接触率等の処理に適用することができる。また、端末ＩＤとしては、調査端末の識別情報以外にもテレビ、ラジオ、ＰＣ、携帯型調査端末等の識別情報を用いたり、また、付加してもよい。
【符号の説明】
【００３６】
１０  接触調査装置
２０  調査対象テレビ（チューナ）
３０  録画リスト
４０  集計・配信センター
５０  契約社
１０１  受信チューナ
１０２  特徴量抽出器α
１０３  特徴量抽出器β
１０５  コントローラ
１０８  時計部
１０９  メモリー
１１０  Ｉ／Ｏ部
【図１】
0005967990.tif 000002
【図２】
0005967990.tif 000003
【図３】
0005967990.tif 000004
【図４】
0005967990.tif 000005
【図５】
0005967990.tif 000006
【図６】
0005967990.tif 000007
【図７】
0005967990.tif 000008
【図８】
0005967990.tif 000009
【図９】
0005967990.tif 000010
【図１０】
0005967990.tif 000011
【図１１】
0005967990.tif 000012
【図１２】
0005967990.tif 000013
【図１３】
0005967990.tif 000014
【図１４】
0005967990.tif 000015
【図１５】
0005967990.tif 000016
【図１６】
0005967990.tif 000017